(57)【要約】【課題】  三脚座の搭載有無にかかわりなく、装着する一眼カメラの形状や一眼カメラ用外部アクセサリの形状が無線信号の受信感度に影響を及ぼしにくい、小型の受信センサ搭載交換レンズおよび小型の受信センサ搭載交換レンズアクセサリの構成を提示することを目的とする。【解決手段】  カメラ本体に着脱可能な交換レンズ、もしくは交換レンズ用アクセサリであって、前記カメラ本体と通信可能な通信手段と、前記通信手段と電気的に接続された、無線によって電気信号を受信可能な電子部品とを有し、前記電子部品が、前記交換レンズ、もしくは前記交換レンズ用アクセサリの筐体内に、最上面よりも下方に一つ以上配置され、かつ、前記電子部品が、前記交換レンズ、もしくは前記交換レンズ用アクセサリの筐体内の、光軸中心よりも上方に一つ以上配置されている交換レンズ、もしくは交換レンズ用アクセサリ。【選択図】  図１
2013105014.tif 000002
【特許請求の範囲】
【請求項１】
カメラ本体（２）に着脱可能な交換レンズ（１）であって、
前記カメラ本体（２）と通信可能な通信手段（８）と、
前記通信手段（８）と電気的に接続されており、無線によって電気信号を受信可能な電子部品（６）とを有し、
前記電子部品（６）が、前記交換レンズ（１）の鏡筒（５）内に、光軸中心を通る鉛直面上にかからない位置に一つ以上配置され、
かつ、前記電子部品（６）が、前記交換レンズ（１）の鏡筒（５）内の、光軸中心よりも上方に一つ以上配置されていることを特徴とする交換レンズ。
【請求項２】
前記電子部品（６）の信号受信面が、光軸中心と並行になるように配置されていることを特徴とする請求項１に記載の交換レンズ。
【請求項３】
カメラ本体（１３）、および、交換レンズ（１２）に着脱可能な交換レンズ用アクセサリ（１１）であって、
前記カメラ本体（１３）と通信可能なカメラ通信手段（１８）と、
前記交換レンズ（１２）と通信可能な交換レンズ通信手段（１９）とを有し、
前記カメラ通信手段（１８）と、前記交換レンズ通信手段（１９）とが、電気的に接続されており、
前記カメラ通信手段（１８）と電気的に接続されていて、無線によって電気信号を受信可能な電子部品（１６）を有し、
前記電子部品（１６）が、前記交換レンズ用アクセサリ（１１）の筐体内に、光軸中心を通る鉛直面上にかからない位置に一つ以上配置され、
かつ、前記電子部品（１６）が、前記交換レンズ用アクセサリ（１１）の筐体内の、光軸中心よりも上方に一つ以上配置されていることを特徴とする交換レンズ用アクセサリ。
【請求項４】
前記電子部品（１６）の信号受信面が、光軸中心と並行になるように配置されていることを特徴とする請求項３に記載の交換レンズ用アクセサリ。
【発明の詳細な説明】
【技術分野】
【０００１】
本発明は、無線により電気信号を受信するセンサを搭載した交換レンズおよび交換レンズ用アクセサリに関するものであり、特に、三脚座の搭載有無にかかわりなく、装着する一眼カメラの形状や一眼カメラ用外部アクセサリの形状が無線信号の受信感度に影響を及ぼしにくい、小型の受信センサ搭載交換レンズおよび、小型の受信センサ搭載交換レンズアクセサリの構成に関するものである。
【背景技術】
【０００２】
従来、デジタル一眼カメラの機能を拡張するような一眼カメラ用外部アクセサリが公知であり、特に、複数の衛星からの信号を受信することで、現在位置を測位できるＧＰＳセンサを搭載した外部アクセサリが知られている。このＧＰＳ機能により、画像撮影地点の緯度および経度、高度などを測位し、撮影した画像データとともに、デジタル一眼カメラに搭載された記録媒体に記録することが可能となる。
【０００３】
特許文献１には図９のようなＧＰＳセンサ５０を備えた一眼カメラ用交換レンズ５１の構成が開示されている。
【０００４】
交換レンズ５１は、光軸方向（図示Ｚ方向）と直交する面内で回動する回動部５２を有しており、回動部５２にはＧＰＳセンサ５０が搭載されている。また、回動面内で、回動部５２上のＧＰＳセンサ５０が搭載されている位置に対し、光軸を挟んで反対側の位置の回動部５２上には、三脚座５３が構成されている。
【０００５】
交換レンズ５１をデジタル一眼カメラ５４に装着した状態で、三脚座５３を三脚（図示せず）などに固定すると、三脚座５３が鉛直下方（−Ｙ方向）に位置するため、対極に位置するＧＰＳセンサ５０は、鉛直上方（Ｙ方向）位置で固定される。それにより、上空のＧＰＳ衛星からの信号を効率的に受信しやすい構成となっている。
【０００６】
また、デジタル一眼カメラ５４は、上部にストロボ発光部５５を備えているものが公知である。内蔵ストロボ５５は、図９に示すようなデジタル一眼カメラ５４に収納される収納位置と、デジタル一眼カメラ５４から突出し、ストロボ発光面（図示せず）が被写体に対面する発光位置（図示せず）との間で移動可能となっている。
【０００７】
一般的に、交換レンズ５１からの光をデジタル一眼カメラ５４のファインダー側へと導くためのペンタプリズム（図示せず）と干渉しない位置に、内蔵ストロボ５５が配置される。なおかつ、デジタル一眼カメラ５４の高さ方向のサイズを小型化させるため、交換レンズ取り付け面よりもＹ方向に突出させて、内蔵ストロボ５５を配した構成が一般的に知られている。
【０００８】
また、デジタル一眼カメラ５４の上部には、外付けストロボ等のカメラ用外部アクセサリ（図示せず）などを固定し、デジタル一眼カメラ５４で通信制御を行うためのアクセサリーシュー５６が構成されているものも広く公知である。
【先行技術文献】
【特許文献】
【０００９】
【特許文献１】特開2011-27826号公報
【発明の概要】
【発明が解決しようとする課題】
【００１０】
図９のように、内蔵ストロボ５５を備えたデジタル一眼カメラ５４に、特許文献１に記載された構成の交換レンズ５１を取り付けた場合、ＧＰＳセンサ５０の一部もしくは全部が、内蔵ストロボ５５の突出部の下方に位置してしまい、上空のＧＰＳ衛星から信号を受信できる受信エリアが限定され、受信感度が低下してしまう可能性があった。
【００１１】
同様に、カメラ用外部アクセサリ（図示せず）を、デジタル一眼カメラ５４上部のアクセサリーシュー５６に取り付けた場合にも、カメラ用外部アクセサリの形状によっては、ＧＰＳセンサ５０の上方の一部もしくは全部が覆われてしまうことで、ＧＰＳ信号の受信感度が低下してしまう可能性があった。
【００１２】
また、特許文献１に開示された従来技術は、超望遠レンズなどの三脚座５３を配置できる大きさを備えた交換レンズには、回動部５２およびＧＰＳセンサ５０を設置することが可能であるが、構成レンズ枚数が少ない単焦点レンズなど、三脚座５３を構成する大きさを持たない交換レンズにＧＰＳセンサ５０を搭載させる場合は、交換レンズの製品サイズが大型化してしまうといった問題も生じていた。
【００１３】
そこで本発明の目的は、一眼カメラの形状や一眼カメラ用外部アクセサリの形状が無線信号の受信感度に影響を及ぼしにくい、小型の受信センサ搭載交換レンズおよび、小型の受信センサ搭載交換レンズアクセサリの構成に関するものである。
【課題を解決するための手段】
【００１４】
本出願に係る発明の目的を実現する構成は、請求項１に記載のように、
カメラ本体に着脱可能な交換レンズ、もしくは交換レンズ用アクセサリであって、
前記カメラ本体と通信可能な通信手段と、
前記通信手段と電気的に接続されており、無線によって電気信号を受信可能な電子部品とを有し、
前記電子部品が、前記交換レンズ、もしくは前記交換レンズ用アクセサリの筐体内に、光軸中心を通る鉛直面上にかからない位置に一つ以上配置され、
かつ、前記電子部品が、前記交換レンズ、もしくは前記交換レンズ用アクセサリの筐体内の、光軸中心よりも上方に一つ以上配置されていることを特徴とするものである。
【発明の効果】
【００１５】
本発明によれば、一眼カメラの形状や一眼カメラ用外部アクセサリの形状が無線信号の受信感度に影響を及ぼしにくい、小型の受信センサ搭載交換レンズおよび、小型の受信センサ搭載交換レンズアクセサリを提供することが可能である。
【図面の簡単な説明】
【００１６】
【図１】本発明の第一および第二の実施例であるデジタル一眼カメラ用交換レンズをデジタル一眼レフカメラに装着した状態を前方（被写体側）から見た斜視図である。
【図２】本発明の第一の実施例であるデジタル一眼カメラ用交換レンズを後方（撮影者側）からみた図である。
【図３】本発明の第一の実施例であるデジタル一眼カメラ用交換レンズをデジタル一眼レフカメラに装着して、縦位置撮影する際のカメラ姿勢を前方（被写体側）から見た斜視図である。
【図４】本発明の第二の実施例であるデジタル一眼カメラ用交換レンズを後方（撮影者側）からみた図である。
【図５】本発明の第三および第四の実施例である交換レンズ用アクセサリのレンズアダプタをデジタル一眼レフカメラと、デジタル一眼カメラ用交換レンズに装着した状態を前方（被写体側）から見た斜視図である。
【図６】本発明の第三の実施例である交換レンズ用アクセサリのレンズアダプタを後方（撮影者側）および前方（被写体側）からみた図である。
【図７】本発明の第三の実施例である交換レンズ用アクセサリのレンズアダプタをデジタル一眼レフカメラと、デジタル一眼カメラ用交換レンズに装着して、縦位置撮影する際のカメラ姿勢を前方（被写体側）から見た斜視図である。
【図８】本発明の第三の実施例である交換レンズ用アクセサリのレンズアダプタを後方（撮影者側）および前方（被写体側）からみた図である。
【図９】従来のデジタル一眼カメラ用交換レンズをデジタル一眼レフカメラに装着した状態を前方（被写体側）から見た斜視図である。
【発明を実施するための形態】
【００１７】
以下に、本発明の好ましい実施の形態を、添付の図面に基づいて詳細に説明する。
【００１８】
［実施例１］
図１は、本実施例である、デジタル一眼カメラ用交換レンズをデジタル一眼レフカメラに装着した状態を前方（被写体側）から見た斜視図を示す。
【００１９】
図２（ａ）は、本実施例である、デジタル一眼カメラ用交換レンズを後方（撮影者側）からみた図を示す。
【００２０】
図２（ｂ）は、本実施例である、デジタル一眼カメラ用交換レンズを後方（撮影者側）からみた斜視図を示す。
【００２１】
図３（ａ）は、本実施例である、デジタル一眼カメラ用交換レンズをデジタル一眼レフカメラに装着し、デジタル一眼レフカメラのグリップ部を下にして縦位置撮影する際のカメラ姿勢を前方（被写体側）から見た斜視図を示す。
【００２２】
図３（ｂ）は、本実施例である、デジタル一眼カメラ用交換レンズをデジタル一眼レフカメラに装着し、デジタル一眼レフカメラのグリップ部を上にして縦位置撮影する際のカメラ姿勢を前方（被写体側）から見た斜視図を示す。
【００２３】
図１のように、交換レンズ１は、請求項のカメラ本体に対応するデジタル一眼レフカメラ２に脱着可能な、請求項記載のデジタル一眼カメラ用交換レンズである。
【００２４】
デジタル一眼レフカメラ２の筐体上部には、ストロボ部３が内蔵されており、図１に示すような収納位置と、カメラ本体２からから突出し、ストロボ発光面（図示せず）が被写体に対面する発光位置（図示せず）との間で移動可能に構成されている。また、デジタル一眼レフカメラ２の筐体上部には、アクセサリーシュー４も配置されており、外付けストロボ装置などのカメラ用外部アクセサリ（図示せず）を設置することが可能である。
【００２５】
図２（ａ）のように、交換レンズ１の鏡筒５の内部上面には、鉛直上方（Ｙ方向）よりおおよそ４５°傾いた位置に、請求項の電子部品に対応するＧＰＳセンサ６が一つ配置されている。また、ＧＰＳセンサ６の信号受信面は、光軸と並行になるように構成されている。
【００２６】
ＧＰＳセンサ６をこの位置に配置することにより、交換レンズ１をデジタル一眼レフカメラ２に取り付けた場合、ＧＰＳセンサ６が内蔵ストロボ３の真下を避けて設置されるため、内蔵ストロボ３の形状に妨げられてＧＰＳの受信感度が低下するのを防ぐことが可能となる。
【００２７】
同様に、デジタル一眼レフカメラ２にカメラ用外部アクセサリ（図示せず）が装着されている場合においても、カメラ用外部アクセサリの形状に妨げられてＧＰＳの受信感度が低下するのを防ぐことが可能となる。
【００２８】
なお、鏡筒５の筐体部分のうち、少なくともＧＰＳセンサ６の上部７は、エンジニアプラスチック等の非導電性樹脂で構成することで、ＧＰＳ位置情報信号をより効率的に受信することができる。なお、上部７を筐体５と異種材料にすることで、ユーザにＧＰＳセンサ６の配置位置を示すこともできる。この際、上部７の外観面の色を筐体５と変えたり、上部７に印刷を施したりすることでユーザにＧＰＳセンサ６の配置位置を示してもよい。
【００２９】
図２（ｂ）のように、交換レンズ１のカメラ接続側側面には、交換レンズ１の種類を識別する電気信号やレンズ駆動のための電力などを、デジタル一眼レフカメラ２と伝達するための、請求項の通信手段に対応する接点部８が設置されている。
【００３０】
接点部８は、鏡筒５の内部でフレキシブル基板９やケーブルなどによって、ＧＰＳセンサ６と電気的に接続されている。この接点部８を通じて、デジタル一眼レフカメラ２からＧＰＳセンサ６へ電力が供給されるとともに、ＧＰＳセンサ６によって測位した位置情報信号を、デジタル一眼レフカメラ２へ伝送する。
【００３１】
デジタル一眼レフカメラ２では、伝送された位置信号を、撮影画像とともにデジタル一眼レフカメラ２の記録手段（図示せず）に記録したり、デジタル一眼レフカメラ２の表示手段（図示せず）に表示させたりすることが可能となる。
【００３２】
図３（ａ）のように、デジタル一眼レフカメラ２のグリップ部１０を下側にして縦位置撮影を行う場合は、ＧＰＳセンサ６は正位置時と同様に、おおよそ上方を向いているため、デジタル一眼レフカメラ２の姿勢差によるＧＰＳセンサ６の受信感度低下を防ぐことが可能となる。
【００３３】
図３（ｂ）のように、デジタル一眼レフカメラ２のグリップ部１０を上側にして縦位置撮影を行う場合においては、ＧＰＳセンサ６が下方に位置してしまうために、ＧＰＳセンサ６の受信感度が低下してしまう可能性がある。しかしながら前述の通り、鏡筒５の上部７の色や材料、印刷などにより、ユーザにＧＰＳセンサ６の配置位置を示すことで、ＧＰＳセンサ６の受信感度が低下することをユーザに対し注意喚起することが出来る。
【００３４】
なお、デジタル一眼レフカメラ２に姿勢検知機能が備わっている場合には、デジタル一眼レフカメラ２が図３（ｂ）の姿勢になった際に、デジタル一眼レフカメラ２の表示手段（図示せず）に、ＧＰＳセンサ６の受信感度低下を示す警告表示を行ってもよい。警告表示を行うことで、ユーザに対し、ＧＰＳの受信感度が低下することへの注意を促すことができる。また、接点部８を通じて、一時的にＧＰＳセンサ６の受信を中止するように、デジタル一眼レフカメラ２で交換レンズ１を制御してもよい。
【００３５】
上記によれば、デジタル一眼レフカメラ２の形状やカメラ用外部アクセサリの形状が無線信号の受信感度に影響を及ぼしにくい、ＧＰＳセンサ６を搭載した小型の交換レンズ１を提供することが可能となる。
【００３６】
［実施例２］
図１は、本実施例である、デジタル一眼カメラ用交換レンズをデジタル一眼レフカメラに装着した状態を前方（被写体側）から見た斜視図を示す。
【００３７】
図４（ａ）は、本実施例である、デジタル一眼カメラ用交換レンズを後方（撮影者側）からみた図を示す。
【００３８】
図４（ｂ）は、本実施例である、デジタル一眼カメラ用交換レンズを後方（撮影者側）からみた斜視図を示す。
【００３９】
図１のように、交換レンズ１は、請求項のカメラ本体に対応するデジタル一眼レフカメラ２に脱着可能な、請求項記載のデジタル一眼カメラ用交換レンズである。
【００４０】
デジタル一眼レフカメラ２の筐体上部には、ストロボ部３が内蔵されており、図１に示すような収納位置と、カメラ本体２からから突出し、ストロボ発光面（図示せず）が被写体に対面する発光位置（図示せず）との間で移動可能に構成されている。また、デジタル一眼レフカメラ２の筐体上部には、アクセサリーシュー４も配置されており、外付けストロボ装置などのカメラ用外部アクセサリ（図示せず）を設置することが可能である。
【００４１】
図４（ａ）のように、交換レンズ１の鏡筒５の内部上面には、鉛直上方（Ｙ方向）より各々おおよそ４５°傾いた位置に、請求項の電子部品に対応するＧＰＳセンサ６が二つ配置されている。また、二つのＧＰＳセンサ６の信号受信面は、各々、光軸と並行になるように構成されている。
【００４２】
ＧＰＳセンサ６をこの位置に配置することにより、交換レンズ１をデジタル一眼レフカメラ２に取り付けた場合、ＧＰＳセンサ６が内蔵ストロボ３の真下を避けて設置されるため、内蔵ストロボ３の形状に妨げられてＧＰＳの受信感度が低下するのを防ぐことが可能となる。
【００４３】
同様に、デジタル一眼レフカメラ２にカメラ用外部アクセサリ（図示せず）が装着されている場合においても、カメラ用外部アクセサリの形状に妨げられてＧＰＳの受信感度が低下するのを防ぐことが可能となる。
【００４４】
なお、鏡筒５の筐体部分のうち、少なくともＧＰＳセンサ６の上部７は、エンジニアプラスチック等の非導電性樹脂で構成することで、ＧＰＳ位置情報信号をより効率的に受信することができる。
【００４５】
図４（ｂ）のように、交換レンズ１のカメラ接続側側面には、交換レンズ１の種類を識別する電気信号やレンズ駆動のための電力などを、デジタル一眼レフカメラ２と伝達するための、請求項の通信手段に対応する接点部８が設置されている。
【００４６】
接点部８は、鏡筒５の内部でフレキシブル基板９やケーブルなどによって、ＧＰＳセンサ６と電気的に接続されている。この接点部８を通じて、デジタル一眼レフカメラ２からＧＰＳセンサ６へ電力が供給されるとともに、ＧＰＳセンサ６によって測位した位置情報信号を、デジタル一眼レフカメラ２へ伝送する。
【００４７】
デジタル一眼レフカメラ２では、伝送された位置信号を、撮影画像とともにデジタル一眼レフカメラ２の記録手段（図示せず）に記録したり、デジタル一眼レフカメラ２の表示手段（図示せず）に表示させたりすることが可能となる。
【００４８】
縦位置撮影を行う場合においても、ＧＰＳセンサ６のどちらか一方がおおよそ上方を向いているため、デジタル一眼レフカメラ２の姿勢差によるＧＰＳの受信感度低下を防ぐことが可能となる。
【００４９】
なお、デジタル一眼レフカメラ２に姿勢検知機能が備わっている場合には、デジタル一眼レフカメラ２の縦位置撮影時の姿勢に応じて、交換レンズ１に設置されたＧＰＳセンサ６のうち、鉛直上方に近い側のＧＰＳセンサ６の位置情報信号を優先的に選択し、選択したＧＰＳセンサ６の位置情報信号を、接点部８を通じてデジタル一眼レフカメラ２に伝送するように、デジタル一眼レフカメラ２で交換レンズ１を制御させてもよい。
【００５０】
上記によれば、デジタル一眼レフカメラ２の形状やカメラ用外部アクセサリの形状が無線信号の受信感度に影響を及ぼしにくい、ＧＰＳセンサ６を搭載した小型の交換レンズ１を提供することが可能となる。
【００５１】
［実施例３］
図５は、本実施例である、交換レンズ用アクセサリのレンズアダプタをデジタル一眼レフカメラと、デジタル一眼カメラ用交換レンズに装着した状態を前方（被写体側）から見た斜視図を示す。
【００５２】
図６（ａ）は、本実施例である、交換レンズ用アクセサリのレンズアダプタを後方（撮影者側）からみた図を示す。
【００５３】
図６（ｂ）は、本実施例である、交換レンズ用アクセサリのレンズアダプタを前方（被写体側）からみた斜視図を示す。
【００５４】
図７（ａ）は、本実施例である、交換レンズ用アクセサリのレンズアダプタをデジタル一眼レフカメラと、デジタル一眼カメラ用交換レンズに装着し、デジタル一眼レフカメラのグリップ部を下にして縦位置撮影する際のカメラ姿勢を前方（被写体側）から見た斜視図を示す。
【００５５】
図７（ｂ）は、本実施例である、交換レンズ用アクセサリのレンズアダプタをデジタル一眼レフカメラと、デジタル一眼カメラ用交換レンズに装着し、デジタル一眼レフカメラのグリップ部を上にして縦位置撮影する際のカメラ姿勢を前方（被写体側）から見た斜視図を示す。
【００５６】
図５のように、レンズアダプタ１１は、請求項の交換レンズに対応するデジタル一眼カメラ用交換レンズ１２および、請求項のカメラ本体に対応するデジタル一眼レフカメラ１３に脱着可能な、請求項記載の交換レンズ用アクセサリである。レンズアダプタ１１は、交換レンズ１２のボディマウント規格と、デジタル一眼レフカメラ１３のレンズマウント規格が一致しない場合に、交換レンズ１２とデジタル一眼レフカメラ１３を接続するために使用される。
【００５７】
デジタル一眼レフカメラ１３の筐体上部には、ストロボ部１４が内蔵されており、図５に示すような収納位置と、カメラ本体１３から突出し、ストロボ発光面（図示せず）が被写体に対面する発光位置（図示せず）との間で移動可能に構成されている。また、デジタル一眼レフカメラ１３の筐体上部には、アクセサリーシュー１５も配置されており、外付けストロボ装置などのカメラ用外部アクセサリ（図示せず）を設置することが可能である。
【００５８】
図６（ａ）のように、レンズアダプタ１１の筐体内部の上面には、鉛直上方（Ｙ方向）よりおおよそ４５°傾いた位置に、請求項の電子部品に対応するＧＰＳセンサ１６が一つ配置されている。また、ＧＰＳセンサ１６の信号受信面は、光軸と並行になるように構成されている。
【００５９】
ＧＰＳセンサ１６をこの位置に配置することにより、レンズアダプタ１１を交換レンズ１２とデジタル一眼レフカメラ１３に取り付けた場合、ＧＰＳセンサ１６が内蔵ストロボ１４の真下を避けて設置されるため、内蔵ストロボ１４の形状に妨げられてＧＰＳの受信感度が低下するのを防ぐことが可能となる。
【００６０】
同様に、デジタル一眼レフカメラ１３にカメラ用外部アクセサリ（図示せず）が装着されている場合においても、カメラ用外部アクセサリの形状に妨げられてＧＰＳの受信感度が低下するのを防ぐことが可能となる。
【００６１】
なお、レンズアダプタ１１の筐体部分のうち、少なくともＧＰＳセンサ１６の上部１７は、エンジニアプラスチック等の非導電性樹脂で構成することで、ＧＰＳ位置情報信号をより効率的に受信することができる。なお、上部１７を筐体と異種材料にすることで、ユーザにＧＰＳセンサ１６の配置位置を示すこともできる。この際、上部１７の外観面の色を筐体と変えたり、上部１７に印刷を施したりすることでユーザにＧＰＳセンサ１６の配置位置を示してもよい。
【００６２】
レンズアダプタ１１のカメラ接続側側面には、レンズアダプタ１１とデジタル一眼レフカメラ１３とを、電気的に接続するための、請求項のカメラ通信手段に対応するカメラ側接点部１８が設置されている。
【００６３】
また、図６（ｂ）のように、レンズアダプタ１１のレンズ接続側側面には、カメラ側接点部１８と各々の端子が電気的に接続された、請求項の交換レンズ通信手段に対応するレンズ側接点部１９が設置されている。
【００６４】
レンズアダプタ１１のカメラ側接点部１８およびレンズ側接点部１９を通じて、レンズ駆動のための電力などを、デジタル一眼レフカメラ１３から交換レンズ１２に電気的に伝送する。さらに、交換レンズ１２の種類を識別する電気信号などを、交換レンズ１２からデジタル一眼レフカメラ１３へ伝送する。
【００６５】
ＧＰＳセンサ１６は、レンズアダプタ１１の筐体内部でフレキシブル基板２０やケーブルなどによって、カメラ側接点部１８に電気的に接続されている。このカメラ側接点部１８を通じて、デジタル一眼レフカメラ１３からＧＰＳセンサ１６へ電力が供給されるとともに、ＧＰＳセンサ１６によって測位した位置情報信号を、デジタル一眼レフカメラ１３へ伝送する。
【００６６】
デジタル一眼レフカメラ１３では、伝送された位置信号を、撮影画像とともにデジタル一眼レフカメラ１３の記録手段（図示せず）に記録したり、デジタル一眼レフカメラ１３の表示手段（図示せず）に表示させたりすることが可能となる。
【００６７】
図７（ａ）のように、デジタル一眼レフカメラ１３のグリップ部２１を下側にして縦位置撮影を行う場合は、ＧＰＳセンサ１６は正位置時と同様に、おおよそ上方を向いているため、デジタル一眼レフカメラ１３の姿勢差によるＧＰＳセンサ１６の受信感度低下を防ぐことが可能となる。
【００６８】
図７（ｂ）のように、デジタル一眼レフカメラ１３のグリップ部２１を上側にして縦位置撮影を行う場合においては、ＧＰＳセンサ１６が下方に位置してしまうために、ＧＰＳセンサ１６の受信感度が低下してしまう可能性がある。しかしながら前述の通り、筐体の上部１７の色や材料、印刷などにより、ユーザにＧＰＳセンサ１６の配置位置を示すことで、ＧＰＳセンサ１６の受信感度が低下することをユーザに対し注意喚起することが出来る。
【００６９】
なお、デジタル一眼レフカメラ１３に姿勢検知機能が備わっている場合には、デジタル一眼レフカメラ１３が図７（ｂ）の姿勢になった際に、デジタル一眼レフカメラ１３の表示手段（図示せず）に、ＧＰＳセンサ１６の受信感度低下を示す警告表示を行ってもよい。警告表示を行うことで、ユーザに対し、ＧＰＳの受信感度が低下することへの注意を促すことができる。また、カメラ側接点部１８を通じて、一時的にＧＰＳセンサ１６の受信を中止するように、デジタル一眼レフカメラ１３でレンズアダプタ１１を制御してもよい。
【００７０】
なお、本実施例で示したレンズアダプタ１１の替わりに、コンバージョンレンズに本構成を適応させてもよい。
【００７１】
上記によれば、デジタル一眼レフカメラ１３の形状やカメラ用外部アクセサリの形状が無線信号の受信感度に影響を及ぼしにくい、ＧＰＳセンサ１６を搭載した小型の交換レンズ用アクセサリ１１を提供することが可能となる。
【００７２】
［実施例４］
図５は、本実施例である、交換レンズ用アクセサリのレンズアダプタをデジタル一眼レフカメラと、デジタル一眼カメラ用交換レンズに装着した状態を前方（被写体側）から見た斜視図を示す。
【００７３】
図８（ａ）は、本実施例である、交換レンズ用アクセサリのレンズアダプタを後方（撮影者側）からみた図を示す。
【００７４】
図８（ｂ）は、本実施例である、交換レンズ用アクセサリのレンズアダプタを前方（被写体側）からみた斜視図を示す。
【００７５】
図５のように、レンズアダプタ１１は、請求項の交換レンズに対応するデジタル一眼カメラ用交換レンズ１２および、請求項のカメラ本体に対応するデジタル一眼レフカメラ１３に脱着可能な、請求項記載の交換レンズ用アクセサリである。レンズアダプタ１１は、交換レンズ１２のボディマウント規格と、デジタル一眼レフカメラ１３のレンズマウント規格が一致しない場合に、交換レンズ１２とデジタル一眼レフカメラ１３を接続するために使用される。
【００７６】
デジタル一眼レフカメラ１３の筐体上部には、ストロボ部１４が内蔵されており、図５に示すような収納位置と、カメラ本体１３から突出し、ストロボ発光面（図示せず）が被写体に対面する発光位置（図示せず）との間で移動可能に構成されている。また、デジタル一眼レフカメラ１３の筐体上部には、アクセサリーシュー１５も配置されており、外付けストロボ装置などのカメラ用外部アクセサリ（図示せず）を設置することが可能である。
【００７７】
図８（ａ）のように、レンズアダプタ１１の筐体内部の上面には、鉛直上方（Ｙ方向）より各々おおよそ４５°傾いた位置に、請求項の電子部品に対応するＧＰＳセンサ１６が二つ配置されている。また、二つのＧＰＳセンサ１６の信号受信面は、各々、光軸と並行になるように構成される。
【００７８】
ＧＰＳセンサ１６をこの位置に配置することにより、レンズアダプタ１１を交換レンズ１２とデジタル一眼レフカメラ１３に取り付けた場合、ＧＰＳセンサ１６が内蔵ストロボ１４の真下を避けて設置されるため、内蔵ストロボ１４の形状に妨げられてＧＰＳの受信感度が低下するのを防ぐことが可能となる。
【００７９】
同様に、デジタル一眼レフカメラ１３にカメラ用外部アクセサリ（図示せず）が装着されている場合においても、カメラ用外部アクセサリの形状に妨げられてＧＰＳの受信感度が低下するのを防ぐことが可能となる。
【００８０】
なお、レンズアダプタ１１の筐体部分のうち、少なくともＧＰＳセンサ１６の上部１７は、エンジニアプラスチック等の非導電性樹脂で構成することで、ＧＰＳ位置情報信号をより効率的に受信することができる。
【００８１】
レンズアダプタ１１のカメラ接続側側面には、レンズアダプタ１１とデジタル一眼レフカメラ１３とを、電気的に接続するための、請求項のカメラ通信手段に対応するカメラ側接点部１８が設置されている。
【００８２】
また、図８（ｂ）のように、レンズアダプタ１１のレンズ接続側側面には、カメラ側接点部１７と各々の端子が電気的に接続された、請求項の交換レンズ通信手段に対応するレンズ側接点部１９が設置されている。
【００８３】
レンズアダプタ１１のカメラ側接点部１８およびレンズ側接点部１９を通じて、レンズ駆動のための電力などを、デジタル一眼レフカメラ１３から交換レンズ１２に電気的に伝送する。さらに、交換レンズ１２の種類を識別する電気信号などを、交換レンズ１２からデジタル一眼レフカメラ１３へ伝送する。
【００８４】
ＧＰＳセンサ１６は、レンズアダプタ１１の筐体内部でフレキシブル基板２０やケーブルなどによって、カメラ側接点部１８に電気的に接続されている。このカメラ側接点部１８を通じて、デジタル一眼レフカメラ１３からＧＰＳセンサ１６へ電力が供給されるとともに、ＧＰＳセンサ１６によって測位した位置情報信号を、デジタル一眼レフカメラ１３へ伝送する。
【００８５】
デジタル一眼レフカメラ１３では、伝送された位置信号を、撮影画像とともにデジタル一眼レフカメラ１３の記録手段（図示せず）に記録したり、デジタル一眼レフカメラ１３の表示手段（図示せず）に表示させたりすることが可能となる。
【００８６】
縦位置撮影を行う場合においても、ＧＰＳセンサ１６のどちらか一方がおおよそ上方を向いているため、デジタル一眼レフカメラ１３の姿勢差によるＧＰＳの受信感度低下を防ぐことが可能となる。
【００８７】
なお、デジタル一眼レフカメラ１３に姿勢検知機能が備わっている場合には、デジタル一眼レフカメラ１３の縦位置撮影時の姿勢に応じて、レンズアダプタ１１に設置されたＧＰＳセンサ１６のうち、鉛直上方に近い側のＧＰＳセンサ１６の位置情報信号を優先的に選択し、選択したＧＰＳセンサ１６の位置情報信号を、カメラ側接点部１８を通じてデジタル一眼レフカメラ１３に伝送するように、デジタル一眼レフカメラ１３でレンズアダプタ１１を制御させてもよい。
【００８８】
なお、本実施例で示したレンズアダプタ１１の替わりに、コンバージョンレンズに本構成を適応させてもよい。
【００８９】
上記によれば、デジタル一眼レフカメラ１３の形状やカメラ用外部アクセサリの形状が無線信号の受信感度に影響を及ぼしにくい、ＧＰＳセンサ１６を搭載した小型の交換レンズ用アクセサリ１１を提供することが可能となる。
【００９０】
以上、本発明の好ましい実施形態について説明したが、本発明はこれらの実施形態に限定されず、その要旨の範囲内で種々の変形及び変更が可能である。
【符号の説明】
【００９１】
１  デジタル一眼カメラ用交換レンズ（実施例１および実施例２）
２  デジタル一眼レフカメラ（実施例１および実施例２）
３  内蔵ストロボ（実施例１および実施例２）
４  アクセサリーシュー（実施例１および実施例２）
５  鏡筒（実施例１および実施例２）
６  ＧＰＳセンサ（実施例１および実施例２）
７  鏡筒（ＧＰＳセンサ上部）（実施例１および実施例２）
８  接点部（実施例１および実施例２）
９  フレキシブル基板（実施例１および実施例２）
１０  グリップ部（実施例１）
１１  レンズアダプタ（実施例３および実施例４）
１２  デジタル一眼カメラ用交換レンズ（実施例３および実施例４）
１３  デジタル一眼レフカメラ（実施例３および実施例４）
１４  内蔵ストロボ（実施例３および実施例４）
１５  アクセサリーシュー（実施例３および実施例４）
１６  ＧＰＳセンサ（実施例３および実施例４）
１７  レンズアダプタ筐体（ＧＰＳセンサ上部）（実施例３および実施例４）
１８  カメラ側接点部（実施例３および実施例４）
１９  レンズ側接点部（実施例３および実施例４）
２０  フレキシブル基板（実施例３および実施例４）
２１  グリップ部（実施例３）
【図１】
2013105014.tif 000003
【図２】
2013105014.tif 000004
【図３】
2013105014.tif 000005
【図４】
2013105014.tif 000006
【図５】
2013105014.tif 000007
【図６】
2013105014.tif 000008
【図７】
2013105014.tif 000009
【図８】
2013105014.tif 000010
【図９】
2013105014.tif 000011